【手続補正書】
【提出日】平成25年12月11日(2013.12.11)
【手続補正１】
【補正対象書類名】特許請求の範囲
【補正対象項目名】全文
【補正方法】変更
【補正の内容】
【特許請求の範囲】
【請求項１】
メディアの記録面にデータを書き込むデータ書き込み部と、
前記メディアのレーベル面に印刷を行なうレーベル印刷部と、
前記データ書き込み部によるデータ書き込み済みの前記メディアのエラーレートを測定するエラーレート測定部と、
前記エラーレート測定部による測定結果が、予め設定された所定の閾値以下か否かを判定するエラーレート判定部と、を備え、
前記レーベル印刷部は、
前記エラーレート判定部による判定の結果、前記測定結果が前記閾値以下の場合、前記レーベル面にレーベル画像を印刷することを特徴とするメディア処理システム。
【請求項２】
前記レーベル印刷部は、
前記測定結果が前記閾値以下の場合、前記エラーレート測定部により測定した前記エラーレートに関するエラーレート情報を、前記レーベル面にさらに印刷することを特徴とする請求項１に記載のメディア処理システム。
【請求項３】
前記エラーレート情報には、
前記エラーレートの最大値および前記エラーレートを示すグラフの内の、少なくとも一方が含まれていることを特徴とする請求項２に記載のメディア処理システム。
【請求項４】
前記レーベル印刷部は、
前記エラーレート測定部による測定結果が前記閾値を超過した場合、前記レーベル面に、その旨を示す情報を印刷することを特徴とする請求項１に記載のメディア処理システム。
【請求項５】
前記データ書き込み部は、
前記エラーレート測定部による測定の結果、前記メディアのエラーレートが前記閾値を超過した場合、当該メディアに書き込んだデータと同じデータを他の未使用メディアに書き込むメディア再作成処理を実行することを特徴とする請求項１に記載のメディア処理システム。
【請求項６】
前記データ書き込み部は、
前記メディア再作成処理を、予め設定された所定回数繰り返すことを特徴とする請求項５に記載のメディア処理システム。
【請求項７】
前記メディアを特定する識別情報と、前記エラーレート測定部による測定結果と、を関連付けて記憶するデータ記憶部を、さらに備えたことを特徴とする請求項１に記載のメディア処理システム。
【請求項８】
前記データ書き込み部、前記レーベル印刷部および前記エラーレート測定部を有するメディア処理装置と、前記エラーレート判定部を有する情報処理装置と、から成り、前記メディア処理装置と前記情報処理装置とは通信可能に接続されていることを特徴とする請求項１ないし７のいずれか１項に記載のメディア処理システム。
【請求項９】
メディアの記録面にデータを書き込むデータ書き込みステップと、
前記データ書き込みステップによるデータ書き込み済みの前記メディアのエラーレートを測定するエラーレート測定ステップと、
前記エラーレート測定ステップによる測定結果が、予め設定された所定の閾値以下か否かを判定するエラーレート判定ステップと、
前記エラーレート判定ステップによる判定の結果、前記測定結果が前記閾値以下の場合、前記メディアのレーベル面にレーベル画像を印刷するレーベル印刷ステップと、を実行することを特徴とするメディア処理システムの制御方法。
【請求項１０】
前記レーベル印刷ステップは、
前記測定結果が前記閾値以下の場合、前記エラーレート測定ステップにより測定した前記エラーレートに関するエラーレート情報を、前記レーベル面にさらに印刷することを特徴とする請求項９に記載のメディア処理システムの制御方法。
【請求項１１】
前記レーベル印刷ステップは、
前記エラーレート測定ステップによる測定結果が前記閾値を超過した場合、前記レーベル面に、その旨を示す情報を印刷することを特徴とする請求項９に記載のメディア処理システムの制御方法。
【請求項１２】
前記データ書き込みステップは、
前記エラーレート測定ステップによる測定の結果、前記メディアのエラーレートが前記閾値を超過した場合、当該メディアに書き込んだデータと同じデータを他の未使用メディアに書き込むメディア再作成処理を実行することを特徴とする請求項９に記載のメディア処理システムの制御方法。
【請求項１３】
前記データ書き込みステップは、
前記メディア再作成処理を、予め設定された所定回数繰り返すことを特徴とする請求項１２に記載のメディア処理システムの制御方法。
【請求項１４】
メディアの記録面にデータを書き込むデータ書き込み部と、
前記メディアのレーベル面に印刷を行なうレーベル印刷部と、
前記データ書き込み部によるデータ書き込み済みの前記メディアのエラーレートを測定するエラーレート測定部と、
前記エラーレート測定部による測定結果が、予め設定された所定の閾値以下か否かを判定するエラーレート判定部と、を備え、
前記レーベル印刷部は、
前記エラーレート判定部による判定の結果、前記測定結果が前記閾値以下の場合、前記レーベル面にレーベル画像を印刷することを特徴とするメディア処理装置。
【請求項１５】
前記レーベル印刷部は、
前記測定結果が前記閾値以下の場合、前記エラーレート測定部により測定した前記エラーレートに関するエラーレート情報を、前記レーベル面にさらに印刷することを特徴とする請求項１４に記載のメディア処理装置。
【請求項１６】
前記レーベル印刷部は、
前記エラーレート測定部による測定結果が前記閾値を超過した場合、前記レーベル面に、その旨を示す情報を印刷することを特徴とする請求項１４に記載のメディア処理装置。
【請求項１７】
前記データ書き込み部は、
前記エラーレート測定部による測定の結果、前記メディアのエラーレートが前記閾値を超過した場合、当該メディアに書き込んだデータと同じデータを他の未使用メディアに書き込むメディア再作成処理を実行することを特徴とする請求項１４に記載のメディア処理装置。
【請求項１８】
前記データ書き込み部は、
前記メディア再作成処理を、予め設定された所定回数繰り返すことを特徴とする請求項１７に記載のメディア処理装置。
【手続補正２】
【補正対象書類名】明細書
【補正対象項目名】発明の名称
【補正方法】変更
【補正の内容】
【発明の名称】メディア処理システム、メディア処理システムの制御方法およびメディア処理装置
【手続補正３】
【補正対象書類名】明細書
【補正対象項目名】０００１
【補正方法】変更
【補正の内容】
【０００１】
本発明は、メディアに対しデータの書き込み、およびレーベル面の印刷を行なうことが可能なメディア処理システム、メディア処理システムの制御方法およびメディア処理装置に関するものである。
【手続補正４】
【補正対象書類名】明細書
【補正対象項目名】０００５
【補正方法】変更
【補正の内容】
【０００５】
本発明は上記の問題に鑑み、データの長期保存に適した品質を担保したメディアを作成することができるメディア処理システム、メディア処理システムの制御方法およびメディア処理装置を提供することを目的とする。
【手続補正５】
【補正対象書類名】明細書
【補正対象項目名】００２２
【補正方法】変更
【補正の内容】
【００２２】
以下、添付の図面を参照し、本発明の一実施形態に係るメディア処理システム、メディア処理システムの制御方法およびメディア処理装置について説明する。図１は、本実施形態のメディア処理システムＳＹの機能構成を示したブロック図である。図示のように、メディア処理システムＳＹは、ＣＤ（Compact  Disc）、ＤＶＤ（Digital  Versatile  Disk）やＢＤ（Blu-ray  Disk）等の光ディスク（メディア。以下、単に「ディスクＤ（図３参照）」と称す）に対する書き込みや読み取りおよびレーベル面Ｌ（図３参照）の印刷を行なうメディア処理装置１と、メディア処理装置１と接続され、当該メディア処理装置１を制御する情報処理装置２と、により構成されている。